(57)【要約】本発明は、視覚的暗号化のシステムに係る。システムは、互いに対して重畳されて配置された第１及び第２のディスプレイ機器を有する。２つの夫々のシェアからグラフィカル・メッセージを再構成する。前述のディスプレイ機器のうち少なくとも１つは、他方の解像度及びピクセル寸法の決定を促す手段を有する。少なくとも１つ、望ましくは両方のディスプレイ機器は、相互に支持された解像度及びピクセル寸法に対して、望ましくは解像度及びピクセル寸法の相互に支持された最小公倍数に対して、シェアの解像度及びピクセル寸法を測定するよう配置される。
2006524356.tif 000002
【特許請求の範囲】
【請求項１】
視覚的暗号化システムであって、
第１及び第２のディスプレイ機器を有し、
前記ディスプレイ機器は、互いに重畳して配置され、２つ夫々のシェアからグラフィカル・メッセージを再構成し、
前記ディスプレイ機器のうち少なくとも一方は、他方の解像度及びピクセル寸法の決定を促す手段を有する、
視覚的暗号化システム。
【請求項２】
前記ディスプレイ機器のうち少なくとも一方は、他方に対してその解像度及びピクセル寸法を通信するよう配置される、請求項１記載の視覚的暗号化システム。
【請求項３】
前記ディスプレイ機器のうち少なくとも一方は、前記他方の前記解像度及びピクセル寸法の測定を行なうよう配置される、請求項１記載の視覚的暗号化システム。
【請求項４】
前記ディスプレイ機器のうち少なくとも一方は、テストパターンを生成するよう配置され、前記測定は、前記テストパターンの間隔を測定することを介して前記解像度解像度及びピクセル寸法を決定するよう配置される、請求項３記載の視覚的暗号化システム。
【請求項５】
両ディスプレイ機器は、テストパターンを生成するよう配置され、前記測定は、前記テストパターンの間の相違を測定することを介して、両ディスプレイの前記解像度及びピクセル寸法を決定するよう配置される、請求項３記載の視覚的暗号化システム。
【請求項６】
前記他方のディスプレイ機器の前記解像度及びピクセル寸法の決定を促す前記手段は、前記ディスプレイ機器のうち一方に、前記他方のディスプレイの可能な解像度及びピクセル寸法に対応する一組又は一連の画像のシェアを表示する手段と、
対応する解像度及びピクセル寸法のユーザ選択を実行する手段と、
を有する、請求項１記載の視覚的暗号化システム。
【請求項７】
前記ディスプレイ機器のうち少なくとも一方は、相互に支持された解像度及びピクセル寸法に対して、そのシェアの前記解像度及びピクセルを測定するよう配置される、
請求項１乃至６のうちいずれか一項記載の視覚的暗号化システム。
【請求項８】
両ディスプレイ機器は、相互に支持された最小公倍数の解像度及びピクセル寸法に対して、夫々のシェアの前記解像度及びピクセルを測定するよう配置される、
請求項１乃至６のうちいずれか一項記載の視覚的暗号化システム。
【請求項９】
視覚的暗号化における２つの夫々のシェアからグラフィカル・メッセージの再構成を可能にする、２つの重畳されたディスプレイ機器の不均等なピクセルを測定する方法であって、
前記ディスプレイ機器のうち少なくとも一方に、前記他方の前記解像度及びピクセル寸法の決定を促す手段を与える段階と、
前記ディスプレイ機器のうち少なくとも一方を、相互に支持された解像度及びピクセル寸法に対して、そのシェアの前記解像度及びピクセルを測定するよう配置する段階と、
を有する、方法。
【請求項１０】
前記配置する段階は、両ディスプレイ機器を、互いに支持された最小公倍数の解像度及びピクセル寸法に対して、夫々のシェアの前記解像度及びピクセルを測定するよう配置する段階を更に有する、
請求項９記載の方法。
【発明の詳細な説明】
【技術分野】
【０００１】
本発明は、視覚的暗号化（ｖｉｓｕａｌ  ｃｒｙｐｔｏｇｒａｐｈｙ）の分野に係り、特には、異なる解像度及びピクセル寸法を有する２つの重畳されたディスプレイ器具を、２つ夫々のシェアからグラフィカル・メッセージを再構成するよう使用することを可能にするシステム及び方法に係る。
【背景技術】
【０００２】
視覚的暗号化（M.  Naor,  A.  Shamir著「Visual  Cryptology,  Eurocrypt  '94,  Springer-Verlag  LNCS  Vol.950」、シュプリンガー出版、１９９５年、ｐ．１−１２）（非特許文献１）は、以下の通り簡単に説明され得る。画像は、画像及びランダム化と、ランダム化そのものである、２つのランダム化された部分に分けられる。いずれの部分も、ランダム化によって、本来の画像に情報を有さない。しかしながら、どちらの部分も物理的に重畳される際に、本来の画像は再構成される。
【０００３】
二つの部分が互いに適合しない場合、本来の画像に関して明らかにされる情報はなく、ランダムな画像が作られる。従って、２つの部分が視覚的暗号化を使用して通信することを希望する場合、それらはランダム化を共有しなければならない。基本的な実施は、受信側に、ランダム化を有するトランスペアレンシー（ｔｒａｎｓｐａｒｅｎｃｙ）を与えることである。送信者は、続いて、本来のメッセージをランダム化するようかかるランダム化を使用し、トランスペアレンシー又は他の何らかの手段で、ランダム化されたメッセージを受信者に送信する。受信者は、２つのトランスペアレンシーを互いの上部におき、メッセージを再生する。かかるスキームは、ワンタイム・パッドと比較され得る。
【０００４】
より柔軟性のある実施は、２つの液晶ディスプレイ（ＬＣＤ）等の２つのディスプレイ画面を使用する際に、得られる。第１の画面は、画像及びランダム化を表示し、第２の画面はランダム化そのものを表示する。画面が互いの上部に置かれる場合、即ち重畳される場合、再構成された画像が現れる。
【０００５】
上述された通り、画像の再構成は、正しい位置合わせで第１及び第２のディスプレイを重畳することによって行なわれ、そのためユーザは再構成されたグラフィカル・メッセージを見ることができる。再構成は、人間の目によって直接行なわれるものであり、妥協され得る器具によって行なわれるものではない。これは、機密情報をより安定して通信するよう視覚的暗号化を使用する。
【０００６】
しかしながら、上述された実施を使用する従来技術の試みに関する重要な課題は、ディスプレイの寸法及び解像度が、非常に異なり得ることである。結果として、ディスプレイのピクセルの寸法が変化する。その結果ピクセルを正確に位置合わせすることが不可能となり、再構成の失敗を招く恐れがある。
【０００７】
米国特許第５１０１２９６号明細書（特許文献１）の図１０は、かかる課題を解決する一従来技術のアプローチを例示する。かかる従来技術の図は、２つの光偏光モザイクの組の構成を図示する。図中、接触する代わりに、モザイクは平行に取り付けられるが、距離ｙによって分離されており、見る者の目は距離ｚに位置決めされる。これは、中間モザイクが、２つのモザイクが全フィールドにわたって見当合わせにあるように目には映るよう、比率ｚ／（ｚ−ｙ）によるより小さなスケールを有するよう、要求する。２つのモザイクは分離されているため、見る者の位置の変化はモザイクの見当合わせに影響を与え、従って、重ねられたモザイクの外観に変化をもたらす。
【０００８】
従来技術の問題点は、いずれのディスプレイも同一の縦横比、即ち高さ／幅比を備えたピクセルを有する場合にのみ機能することである。更に、これは、間隙を介した一点で機能するのみであり、その点は、見つけるのが略不可能であり、見つかったとしても、見る者が他方の目を使い始めると再び消える。
【特許文献１】米国特許第５１０１２９６号明細書
【非特許文献１】M.  Naor,  A.  Shamir著「Visual  Cryptology,  Eurocrypt  '94,  Springer-Verlag  LNCS  Vol.950」、シュプリンガー出版、１９９５年、ｐ．１−１２
【発明の開示】
【発明が解決しようとする課題】
【０００９】
従って、本発明は、改善された装置を与えることを目的とする。該装置は、異なる解像度及び／又は異なるピクセル縦横比を有する２つのディスプレイ画面を重畳することを介して視覚的暗号化を可能にする。
【００１０】
本発明は、更に、改善された方法を与えることを目的とする。該方法は、異なる解像度及び／又は異なるピクセル縦横比を有する２つのディスプレイ画面を重畳することを介して視覚的暗号化を可能にする。
【発明を実施するための最良の形態】
【００１１】
本発明の更に他の目的及び特徴は、添付の図面と合わせて考察された以下の詳細な説明から明らかとなるであろう。しかしながら、図面は、本発明の制限の定義としてではなく例示の目的でのみ設計されており、添付の請求項が参照されるべきである。更に、図面は必ずしも寸法通りに描かれず、特記されない限り、ここに説明された構造及び手順を単に理論的に例示することを意図されているだけである。
【００１２】
図面中、同様の参照符号は、複数の図面を通して同類の構成要素を示す。
【００１３】
視覚的暗号化、即ち、いずれも情報を有さない２つの部分的画像（シェア）の重ね合わせから画像を作り上げることは、例えば、シェアを表示するよう２つの同一のディスプレイ画面を使用して実現され得る。同一のディスプレイを使用すると、２つのディスプレイのピクセル寸法及び解像度が同一であるため、画像を正しく配列することのみが必要である。しかしながら一般的には、殆どのディスプレイは矩形のピクセルを有するよう配置される一方で、（カラーのディスプレイでの赤色、緑色、青色のサブピクセルの平行な配置を伴い、）ディスプレイの寸法及び解像度は非常に異なり得る。結果として、ディスプレイのピクセルの寸法は、典型的には、３００マイクロン（８０ｄｐｉ）乃至１２０マイクロン（２００ｄｐｉ）の範囲内で変化する。２つのシェアが異なるピクセル寸法を備えた２つのディスプレイ上に表示される場合、２つのシェアは、一方のシェアが他方のシェアより大きいため画像の全ての点で位置合わせされないため、視覚的暗号化のアプローチは完全に失敗するであろう。
【００１４】
図１は、異なるピクセル寸法（ｌｕ，ｂｕ）及び（ｌｓ，ｂｓ）を夫々備えた２つの重畳されたディスプレイ１，２の概略図である。図１中に例示される通り、２つの重畳されたディスプレイ１、２の上方からの図の夫々左手側から、及び下方から見た図である。図１に例示された場合において視覚的暗号化を可能にするには、２つのシェアを、例えば例示されている（２ｌｕ，２ｂｕ）及び（３ｌｓ，３ｂｓ）のように、正しく同一の寸法に測ることが必要である。
【００１５】
これは、全ての実施例において、ディスプレイのうち少なくとも一方に、他方のピクセル寸法の決定を促す手段を与えることを介して達成される。望ましくは、ディスプレイ１，２のいずれにも、他方のピクセル寸法の決定を促す手段を与えられる。これは、複数の方法で達成され得る。
【００１６】
一例として、第１の実施例では、この決定は、互いに通信する２つのディスプレイ１，２を介して実現され得る。かかる通信は、ワイヤレス又は光学手段によって、あるいは他の適切な通信手段によってのいずれかで行なわれ得る。ディスプレイ１，２は、夫々の解像度及びピクセル寸法に関係する情報を送信することができ、情報は、夫々のディスプレイ・コントローラ等に格納され得る。
【００１７】
更なる一例として、第２の実施例では、ディスプレイ１，２は、測定を実行するよう配置され得、ディスプレイのうち一方、望ましくは安定したディスプレイ２は、他方のディスプレイ１のピクセル寸法を決定する。かかる決定は、例えば、ストライプ・パターン又は「バーニア」・パターン等のデフォルトのテストパターンを生成するようプログラムされているディスプレイを介して実現され得る。これらのパターンの間隔を例えばディスプレイ２の光センサを伴って測定することによって、他方のディスプレイ１のピクセル寸法を決定することが可能となる。かかる決定を実現する代替の一方法は、ディスプレイ１、２のいずれにもテストパターンを生成させることであり、これらのパターンの間の相違は、バーニア方法を使用して測定される。このようにして、ホスト（信頼性がない）ディスプレイ１のピクセル寸法もまた、確立され得る。
【００１８】
２つのディスプレイ１，２のピクセル寸法が確立されるとすぐに、シェアが測定され得、視覚的暗号化が正しく機能することを確実にするようにされる。一般的には、この結果として、シェアの解像度（ｄｐｉ）は、両ディスプレイ１，２によって相互に支持され得る解像度に低減される。安定したディスプレイ２は、ホストディスプレイ１のピクセルの寸法（ｌｕ，ｂｕ）を受けるとすぐに、それ自体のピクセル寸法（ｌｓ，ｂｓ）及びホストディスプレイ１の最小公倍数を算出する。最小公倍数は、以後（Ｌ，Ｂ）と表記される。以後、以下の２つの数字は、算出されたＮ１＝Ｌ／ｌｓ及びＮ２＝Ｂ／ｂｓである。安定したディスプレイ２は、そのシェアの全ピクセルをＬ方向にＮ１倍、及び、Ｂ方向にＮ２倍生成する。ホスト（信頼性のない）ディスプレイ１は、同一の手順を踏み、そのシェアにおけるピクセルを、Ｌ方向にＭ１＝Ｌ／ｌｕ倍、及びＢ方向にＭ２＝Ｂ／ｂｕ倍表示する。図１に図示される重畳するディスプレイ１，２に関して、最小公倍数は（Ｌ，Ｂ）＝（３ｌｓ，２ｂｓ）＝（２ｌｕ，ｂｕ）である。安定したディスプレイに関して、Ｎ１＝３，Ｎ２＝２であり、ホストディスプレイに関して、Ｍ１＝２，Ｍ２＝１である。
【００１９】
更なる実施例では、多くのディスプレイが固定されたピクセル寸法（例えば、ラップトップ型では３００マイクロン、ＰＤＡでは２００マイクロン、電話では１５０マイクロン）を有し、また、視覚的暗号化の表示に対する一定の標準的なピクセル寸法を定義付けることが可能である、と想定され、かかる想定は当然のことながら、産業界においての合意を要求する。かかる標準が定義付けられた場合、安定したディスプレイがピクセル寸法の多数の限定数のうちの１つを有するため、ディスプレイのピクセル寸法を測定する必要は無くなる。この場合、他のディスプレイの解像度及びピクセル寸法の決定を促す手段として、ホスト機器１上に複数の組のシェアを表示するのに十分でり、各画像は、安定したディスプレイ機器２の可能な解像度の定数のうちの１つに対応する。これらのシェアが次々と表示される場合、安定したディスプレイが正しいピクセル寸法の画像の上のホストディスプレイ上に正しく位置付けられることを確実にすることのみが、必要とされる。あるいは、複数の解像度での画像は、安定したディスプレイ画像部分内に全て同時に現されるが、画像の小さな部分のみ、即ち画像が正しい寸法である一部分が、読み取り可能である。正しい解像度の画像が確認されるとすぐ、例えば、かかる解像度のユーザ選択の後に、更に安定した通信がかかる解像度で進められ、複数の画像が必要とはされなくなる。
【００２０】
２つの重畳されたディスプレイ機器の均等ではないピクセルの測定の方法は、視覚的暗号化において２つの夫々のシェアからのグラフィカル・メッセージの再構成を可能にし、前述のディスプレイ機器のうちの少なくとも一方に、他方の解像度及びピクセル寸法の決定を促す段階と、前述のディスプレイ機器のうち少なくとも一方を、相互に支持された解像度及びピクセル寸法に対するシェアの解像度及びピクセル寸法を測定するよう配置する段階とを有する。方法の望ましい一実施例では、配置の段階は、前述の手順に基づいて、両ディスプレイ機器を配置し、相互に支持された最小公倍数の解像度及びピクセル寸法に対する夫々のシェアの解像度及びピクセル寸法を測定するようにされる段階を、更に有する。
【００２１】
このように、望ましい実施例に適用される通り、本発明の基本的な新規の特徴が示され、説明され、指摘されてきたが、例示された機器の形状及び詳細において多種の例外、代用、及び変更が、本発明の趣旨から逸脱することなく当業者によって行なわれ得ることが理解されるであろう。例えば、同一の結果を達成するよう略同一の方法での略同一の機能を実行する構成要素及び／又は方法段階の全ての組合せは、本発明の範囲内であることが明確に意図される。更に、本発明の開示された形式又は実施例に関連して図示及び／又は説明された構造、及び／又は構成要素、及び／又は方法段階は、設計上の選択の一般的な状態として、他の開示又は説明又は提案された形式又は実施例に組み込まれ得る。従って、添付の請求項の範囲によって示されたものとして限定されることが意図される。
【図面の簡単な説明】
【００２２】
【図１】上方及び２つの夫々の側面から見た異なるピクセル寸法を備えた２つの重畳するディスプレイの概略図である。
2006524356.tif 000003
【国際調査報告】
2006524356.tif 000004
2006524356.tif 000005
2006524356.tif 000006